(57)【特許請求の範囲】
【請求項１】
複数の走査線電極と複数の情報信号線電極とを交差するように配列し、前記複数の走査線電極と複数の情報信号線電極との交点に強誘電性液晶を挟んで複数の液晶画素を構成してなる液晶表示素子の各液晶画素を、
前記走査線電極に、選択期間において第１乃至第４パルスを、前記選択期間に引き続いて第５，第６パルスをそれぞれ印加し、前記情報信号線電極に、選択期間において第１乃至第４パルスを、前記選択期間に引き続いて第５，第６パルスをそれぞれ印加することにより、白表示のための第１の安定状態または黒表示のための第２の安定状態にさせる液晶表示素子の駆動方法において、
前記走査線電極に印加されるパルスの信号波形と前記情報信号線電極に印加されるパルスの信号波形との差をとることにより合成したパルスが、第１の安定状態になるべき場合は第５パルスが正極性に、第６パルスが負極性になるように、第２の安定状態になるべき場合は第５パルスが負極性に、第６パルスが正極性になるように、前記走査線電極及び情報信号線電極に印加されるパルスの極性を設定することを特徴とする液晶表示素子の駆動方法。
【請求項２】
前記走査線電極に印加されるパルスは、第１，第４パルスが第１の値の正極性であり、第５パルスが前記第１の値よりも小なる第２の値の正極性であり、第２，第３パルスが前記第２の値よりも大なる前記第１の値の負極性であり、第６パルスが前記第２の値の負極性であり、
各液晶画素を前記第１の安定状態にするために前記情報信号線電極に印加されるパルスは、第１，第４パルスが前記第１の値の負極性であり、第２，第３パルスが前記第１の値の正極性であり、第５，第６パルスが無極性であり、
各液晶画素を前記第２の安定状態にするために前記情報信号線電極に印加されるパルスは、第１，第６パルスが前記第１の値の負極性であり、第２，第５パルスが前記第１の値の正極性であり、第３，第４パルスが無極性であることを特徴とする請求項１に記載の液晶表示素子の駆動方法。
【請求項３】
前記走査線電極に印加されるパルスは、第１，第４パルスが第１の値の正極性であり、第５パルスが前記第１の値よりも小なる第２の値の正極性であり、第２，第３パルスが前記第２の値よりも大なる前記第１の値の負極性であり、第６パルスが前記第２の値の負極性であり、
各液晶画素を前記第１の安定状態にするために前記情報信号線電極に印加されるパルスは、第１，第２，第５，第６パルスが無極性であり、第３パルスが前記第１の値の正極性であり、第４パルスが前記第１の値の負極性であり、
各液晶画素を前記第２の安定状態にするために前記情報信号線電極に印加されるパルスは、第１，第６パルスが前記第１の値の負極性であり、第２，第５パルスが前記第１の値の正極性であり、第３，第４パルスが無極性であることを特徴とする請求項１に記載の液晶表示素子の駆動方法。
【請求項４】
前記走査線電極に印加されるパルスは、第１パルスが第１の値の正極性であり、第２パルスが前記第１の値の負極性であり、第３パルスが前記第１の値よりも小なる第２の値の負極性であり、第４パルスが前記第２の値の正極性であり、第５パルスが前記第２の値よりも小なる第３の値の正極性であり、第６パルスが前記第３の値の負極性であり、
各液晶画素を前記第１の安定状態にするために前記情報信号線電極に印加されるパルスは、第１乃至第６パルスが全て無極性であるか、または第１パルスが前記第２の値よりも小で前記第３の値よりも大なる第４の値の正極性であり、第２パルスが前記第４の値の負極性であり、第３乃至第６パルスが無極性であり、
各液晶画素を前記第２の安定状態にするために前記情報信号線電極に印加されるパルスは、第１，第４，第５パルスが前記第４の値の正極性であり、第２，第３，第６パルスが前記第４の値の負極性であるか、または第１，第２パルスが無極性であり、第３，第６パルスが前記第４の値の負極性であり、第４，第５パルスが前記第４の値の正極性であり、
任意の走査線電極の選択期間の第５のパルスを印加するタイミングにおいて次の走査線電極の第１のパルスを印加することを特徴とする請求項１に記載の液晶表示素子の駆動方法。
【発明の詳細な説明】
【０００１】
【発明の属する技術分野】
本発明は液晶表示素子の駆動方法に関し、特に強誘電性液晶を使用することにより、高コントラストの表示を可能とした液晶表示素子の駆動方法に関する。
【０００２】
【従来の技術】
液晶表示素子の駆動方法としては、単純マトリクス駆動方式及びアクティブマトリクス駆動方式の二種類が知られている。アクティブマトリクス駆動方式は、ガラス基板上に配置された各画素それぞれに対応してＴＦＴ（薄膜トランジスタ）  等のスイッチング素子を形成し、このスイッチング素子により各画素のオン／オフ（光を透過させるか遮断するか）をスイッチングすると共に、次のスイッチングの時点までの間のメモリ性を得ている。一方、単純マトリクス駆動方式は、走査線電極及び情報信号線電極に電圧を印加し、各走査線電極上に配列された画素のオン／オフを行う。
【０００３】
アクティブマトリクス駆動方式では画素数に対応するスイッチング素子が必要である。そのため、製造コストの上昇を招来し、またスイッチング素子としてのＴＦＴ  の全てを完全に機能するように製造するには非常に高度な技術を要求される。
【０００４】
一方、単純マトリクス駆動方式は、走査信号線群と情報信号線群とを交差するように配列し、両信号線群の交点に走査線電極と情報信号線電極とを形成し、その対向部分に形成された画素に対して、走査信号線群を順次的に指定しつつ情報信号線で各画素のオン／オフを指定する信号をタイミングを合わせて与える。このような単純マトリクス駆動方式では、上述のアクティブマトリクス駆動方式に比して製造コストの面でも技術的な面でも有利であるが、一つの画素がオン／オフ制御された時点から次にオン／オフ制御されるまでの間のメモリ性に問題がある。
【０００５】
しかし、近年では液晶分子そのものがメモリ性を有する所謂双安定性液晶がたとえばＵ．Ｓ．Ｐ．  Ｎｏ．４，３６７，９２４（特開昭５６−１０７２１６  号公報）  等で提案されている。そのような双安定性液晶としては一般的には強誘電性液晶が用いられる。
【０００６】
強誘電性液晶は、パネルギャップを２μｍ以下にすることにより、表面安定化強誘電性液晶（ＳＳＦＬＣ）  となり、双安定性が得られる。即ち、液晶に正極性または負極性のしきい値電圧を越える電圧を印加することにより、液晶分子の状態が印加電圧の極性に応じて第１の光学的安定状態と第２の光学的安定状態との間で反転する。また、画素への印加電圧が遮断されたり、あるいはしきい値電圧を越えない電圧が印加された場合には、液晶分子はその時点での自身の状態を安定的に維持する。換言すれば、強誘電性液晶はそれ自体がメモリ性を有する。このような特徴により、強誘電性液晶を利用した液晶表示素子では、製造コストが高く且つ高度な技術を要求されるアクティブマトリクス方式によることなしに、低い製造コストで、且つ技術的に比較的容易に製造可能な単純マトリクス方式で実用上充分な表示が可能である。
【０００７】
以下に、単純マトリクス方式による駆動方法について、最も一般的な走査線電極を順次的に選択しつつ情報信号線電極に情報信号を与えて表示を行う線順次駆動方法を説明する。なおここでは、情報信号線電極を基準とし、液晶に印加される電圧は走査線電極に印加される信号波形と情報信号線電極に印加される信号波形との差であり、その際に印加される波形の極性及び電圧が液晶の状態を変化させ、この結果として各画素がたとえば白・黒の表示を行なうものとする。
【０００８】
強誘電性液晶には極性応答及びしきい値電圧が存在するため、その画素に情報を書き込まない場合（この場合にはそれ以前の状態が維持される）はしきい値以下の電圧が印加される。但し、この場合の走査線電極及び情報信号線電極に印加される電圧の極性は同一である。なお、走査線電極及び情報信号線電極に印加される電圧の極性が異なる場合は、その画素への情報の書き込みが行なわれ、印加される電圧の極性に応じて白表示または黒表示が行なわれる。
【０００９】
具体的には、白表示が行なわれる場合には正極性のしきい値を越えた電圧が最後に印加され、黒表示が行なわれる場合には負極性のしきい値を越えた電圧が最後に印加される。これにより、それぞれに対応した表示が可能であり、基本的には１パルスで１画素の書き込み、即ち表示が可能である。
【００１０】
しかし、単純マトリクス駆動方式では、上述のような表示が長時間継続した場合には累積的な電荷の偏りが必ず生じ、その結果として焼付き，液晶分子の分解等の事態が発生し、やがては表示素子としての機能を果たすことが出来なくなる可能性が生じる。従って、各画素には必ず選択パルス（スイッチングを行なうべき画素を指定するために走査線電極に印加されるパルス）を印加する直前に一旦逆極性のパルスを印加し、更に非選択パルス（指定されない画素に印加されるパルス）も常に極性を打ち消しあうようにして電荷の偏りをなくし、累積的な電荷の偏りが発生しないようにする必要がある。
【００１１】
なお、上述の選択パルスを印加する直前に印加される逆極性のパルスをリセットパルスと称し、次に書き込まれるパルスをセットパルスと称する。
【００１２】
このような事情から、強誘電性液晶を使用した液晶表示素子の駆動方法として、たとえば４パルス法，２フィールド法等が提案されているが、ここでは本発明が属する４パルス法の一例として特開平５−３４６５９  号公報に開示されている発明を従来技術として説明する。
【００１３】
図１は白表示または黒表示の書き込みを行なった４画素×４画素の単純マトリクスの表示状態を示す模式図、図２は図１に対応する従来技術による走査線電極及び情報信号線電極の波形図、図３は図２に対応する従来技術による画素への印加電圧の波形図である。なおこの例では、上部基板側に走査線電極が、下部基板側に情報信号線電極がそれぞれ形成されており、また画素への印加電圧が正極性の場合は白表示に、負極性の場合は黒表示になるものとする。
【００１４】
図２に示されているように、走査線電極では、期間ｔ１  において走査線電極Ｃ１  上の各画素に、期間ｔ２  において走査線電極Ｃ２  上の各画素に、期間ｔ３  において走査線電極Ｃ３  上の各画素に、期間ｔ４  において走査線電極Ｃ４  上の各画素にそれぞれ選択パルスを印加し、その期間以外においては各走査線電極上の画素には非選択パルスが印加される。換言すれば、期間ｔ１  は走査線電極Ｃ１  の選択期間であり、期間ｔ２  は走査線電極Ｃ２  の選択期間であり、期間ｔ３  は走査線電極Ｃ３  の選択期間であり、期間ｔ４  は走査線電極Ｃ４  の選択期間である。更に、それぞれの選択期間に、情報信号線電極Ｓ１  ，Ｓ２  ，Ｓ３  ，Ｓ４  から黒表示書き込みを行ないたい場合にはそれぞれの期間ｔ１  ，ｔ２  ，ｔ３  ，ｔ４  を更に二分割した前半の期間ｔＡ  において書き込み信号を印加し、また白表示書き込みを行ないたい場合には後半の期間ｔＢ  において書き込み信号を印加する。
【００１５】
なお、期間ｔＡ  及び期間ｔＢ  それぞれの前半のパルスはリセットパルスであり、後半が黒表示または白表示書き込みのためのセットパルスである（図２においてそれぞれを●または○で示す）。なお、いずれの場合にもリセットパルスはセットパルスに対して逆極性に設定されており、このことによりその画素に印加される電荷に偏りが生じないようにしている。このような一連の動作を行なった結果、画素に印加される波形が図３に示されている白表示書き込み及び黒表示書き込みの合成波形になる。なお図３では、走査線電極Ｃ１  の各画素に印加される合成波形が示されている。
【００１６】
なおここで注意しなければならないことは、各画素に選択期間に印加される選択電圧（＋４Ｖ０  及び−４Ｖ０  ）及び半選択電圧（＋２Ｖ０  及び−２Ｖ０  ）と、非選択期間に印加される非選択電圧（＋Ｖ０  及び−Ｖ０  ）とが適切な値になるように走査線電極と情報信号線電極とに印加される電圧を定めなければならないということである。即ち、強誘電性液晶には、しきい値電圧（Ｖｈ  ）が存在するため、画素に実際に印加される電圧が２Ｖ０  ＜Ｖｈ  ＜４Ｖ０  となるようにＶ０  を適切に設定する必要がある。このＶ０  の選択が適切でない場合には、半選択電圧が印加された場合にも液晶が応答して黒表示が行なえなかったり、あるいは選択電圧で書き込みが行なえないという事態が生じる。
【００１７】
ところで、強誘電性液晶がメモリ性を有するということは、しきい値電圧以下の電圧に対しては応答せずにそれまでの状態を維持するからである。従って、液晶パネルが大画面になっても、メモリ性を有するという強誘電性液晶の特徴を利用することにより、コントラストを低下させることなしに液晶表示素子を駆動することが可能である。しかし上述のような４パルス駆動方法の従来技術では、現実には均一な白表示及び黒表示が出来ず、コントラストが高い画素と低い画素とが入り混じる現象が生じる。この原因としては、選択電圧または半選択電圧とその後に印加される非選択電圧との関係が考えられる。
【００１８】
以下、図４に示されている従来技術による画素への印加電圧と透過光量（電気−光学応答特性）との関係を示すグラフを参照して説明する。期間ｔ１  において走査線電極Ｃ１  と情報信号線電極Ｓ１  との交点の画素に書き込まれた第１の状態（Ｔ１  ）  と、期間ｔ２  において走査線電極Ｃ２  と情報信号線電極Ｓ１  との交点の画素に書き込まれた第２の状態  （Ｔ２  ）  とが
（Ｔ１  ，Ｔ２  ）  ＝（ａ）（黒，白），（ｂ）（黒，黒），（ｃ）（白，黒），（ｄ）（白，白）
の４通りになる場合の走査線電極Ｃ１  と情報信号線電極Ｓ１  との交点の画素への印加電圧と電気−光学応答特性との関係、及び図５に示されている、図４中の  （Ｔ１  ，Ｔ２  ）  ＝  （黒，黒）  と  （白，白），  （黒，白）  と  （白，黒）の波形のコントラスト比のパルス幅を変化させた場合の実測値のグラフを参照して説明する。なお、測定温度は全て同一である。
【００１９】
図４に示されているように、Ｔ１  の状態からＴ２  の状態へ遷移した時点の極性が同一であるか、または異なるかにより、電気−光学応答特性、即ち透過光量が異なっている。具体的には、図４（ａ）  及び（ｄ）  ではＴ１  の状態からＴ２  の状態へ遷移した時点の極性が逆極性であり、図４（ｂ）  及び（ｃ）  ではＴ１  の状態からＴ２  の状態へ遷移した時点の極性が同極性である。図４（ｂ）  ではＴ１  の状態からＴ２  の状態へ遷移した時点の極性が同極性であるが、本来は黒表示（透過光量０）であるべきにも拘わらず、期間ｔ２  以降は約５０％程度に透過光量が増加している。また、図４（ｄ）  ではＴ１  の状態からＴ２  の状態へ遷移した時点の極性が逆極性であるが、本来は白表示（透過光量１）であるべきにも拘わらず、期間ｔ２  以降は約５０％程度の透過光量に低下している。
【００２０】
即ち、同極性の半選択電圧と非選択電圧とが連続することにより選択パルスと同様の働きをしたことになって液晶分子が応答してしまう表示の組み合わせが存在し、また選択電圧と逆極性の非選択電圧の組み合わせでは、選択電圧のみでは充分に書き込みを行なうことが出来ない表示の組み合わせが存在する。このため、図５に示されているように、高コントラスト比となるパルス幅のマージンが小さくなったり、あるいはコントラストそのものが得られないという問題が生じる。
【００２１】
図５は本願発明者らによる実験により得られた実測データであり、図５(a) に示されているように、同一の情報信号線上で相隣する画素が同一の表示状態である場合、即ち白と白、または黒と黒である場合にはコントラスト比が低下する表示状態になる。一方、図５(b) に示されているように、同一の情報信号線上で相隣する画素が異なる表示状態、即ち白と黒、または黒と白である場合には高コントラスト比の波形ではあるが、実際の見た目にはあまり高コントラストには見えない。従って、いずれにせよ、高コントラストの表示を行なうことは出来ないことになる。
【００２２】
【発明が解決しようとする課題】
上述のような事情に鑑み、選択期間の最後に更に何らかの信号を付加することが考えられる。たとえば、特開昭６０−５６９３５号公報の発明では、走査線電極，情報信号線電極共に前述のような選択期間中の４個のパルスの次に１パルス分に相当する期間を休止期間として付加している。しかしこの特開昭６０−５６９３５号公報の発明では、次の非選択期間の最初のパルスによる影響が小さくなることは事実ではあるが、旧来の４パルスに更に１パルス相当時間の休止期間が付加されるため、単純に考えれば全体としての動作速度が２５％低下することになる。
【００２３】
また、特開平５−４５６２１  号公報の発明では、走査線電極には選択期間中に従来同様に４パルスとそれに引き続く非選択期間に２パルスが印加され、情報信号線電極には選択期間中に従来同様に４パルスが印加される。但し、走査線電極に印加される６パルスは、第１，第４及び第６パルスが同極性であり、第２，第３及び第５パルスが同極性であるが第１，第４及び第６パルスとは逆極性である。また、情報信号線電極に印加される４パルスは、第１，第２パルスが逆極性であり、第３及び第４パルスが逆極性であり、第１，第２パルスにより画素（液晶）を第１の光学安定状態（白または黒）に、第３，第４パルスにより画素（液晶）を第２の光学安定状態（黒または白）にセットする。
【００２４】
しかしこの特開平5-45621 号公報の発明においても、同一の情報信号線上で相隣する画素が同一の表示状態である場合、即ち黒と黒である場合にはそれ程の問題はないが、白と白である場合にはコントラスト比が低下する、あるいは実際の見た目にはあまり高コントラストには見えないという問題が残る。
【００２５】
本発明はこのような事情に鑑みてなされたものであり、高コントラストを実現し、また選択期間には４パルスのみでよい液晶表示素子の駆動方法の提供を目的とする。
【００２６】
【課題を解決するための手段】
上述のような問題を解決するために、充分に白表示書き込みを行なうことが可能な駆動波形，または黒表示書き込みを行なった後に白表示書き込みが行なわれない駆動波形を選択期間の最後に付加することにより実現する。
【００２７】
前述の図４に示されている従来例の画素への印加電圧の波形において、黒表示書き込みを行なったにも拘わらず完全な黒表示にはならない原因は、黒表示書き込みが２画素連続した場合、具体的には黒表示書き込みが行なわれた画素の次の走査線電極上の画素においても連続して黒表示書き込みが行なわれた場合に、図４(b) に示す画素への印加電圧の波形のように、二つ目の黒表示書き込みの選択期間の最後に印加される正極性の半選択パルス丸４の後に正極性の非選択パルス1'が印加されることにより、本来は応答しないはずの液晶分子がこのパルスの組み合わせで応答して白表示の状態に近くなることにある。このような現象を防ぐためには、図４(a) に示す画素への印加電圧の波形のように、正極性の半選択パルス丸４の後に負極性の非選択パルス1'を印加すればよいことになる。
【００２８】
一方、上述の場合とは逆に白表示書き込みが２画素連続した場合、具体的には白表示書き込みが行なわれた画素の次の走査線電極上の画素においても連続して白表示書き込みが行なわれた場合に、図４(d) に示す画素への印加電圧の波形のように、正極性の選択パルス丸４の後に負極性の非選択パルス1'が印加されるが、このパルスの組み合わせでは、見掛け上は反転しているものの、液晶分子は充分に状態反転を行なうことが出来ない。従って、図４(c) に示す画素への印加電圧の波形のように、正極性の選択パルス丸４の後に正極性の非選択パルス1'を印加することにより、液晶分子の状態反転の手助けをすればよいことになる。このようにすることにより、常に高コントラストの表示を実現することが可能になる。
【００２９】
【発明の実施の形態】
以下、本発明をその実施の形態を示す図面に基づいて詳述する。なお、本発明の液晶表示素子の駆動方法で用いる強誘電性液晶表示素子は、表面安定化処理によりブックシェルフ構造と称される層構造を有している。
【００３０】
ところで、本発明の液晶表示素子の駆動方法は、画素に印加される駆動波形を従来の４パルス駆動法で印加したのでは充分な白・黒書き込みを行なうことが出来ないという問題点に鑑み、選択期間とその次の非選択期間との間に少なくとも２パルス分の補助パルスを付加することにより、選択期間において書き込みが行なわれた状態から更に充分に書き込みを行なうようにする。
【００３１】
具体的には、実際に各画素に印加される走査線電極と情報信号線電極とを合成した波形が、白表示書き込みの場合は第５パルスが正極性に、第６パルスが負極性になるように、逆に黒表示書き込みの場合は第５パルスが負極性に、第６パルスが正極性になるように、走査線電極に印加される波形と情報信号線電極に印加される波形とを決定する。以下、そのような本発明の情報信号線電極のいくつかの実施の形態について説明する。
【００３２】
〔第１の実施の形態〕
図６は本発明に係る液晶表示素子の駆動方法、即ち６パルス駆動法の第１の実施の形態を実現する各信号波形を示す波形図である。また、図７は、図６に示されている本発明の液晶表示素子の駆動方法の第１の実施の形態により前述の図１に示されている表示状態を実現するために各電極に印加される実際の駆動波形を示す波形図、図８は同じく各画素に印加される実際の駆動波形を示す波形図である。
【００３３】
この第１の実施の形態では具体的には、走査線電極に印加される選択パルスは、第１パルスが＋２Ｖ０  ，第２パルスが−２Ｖ０  ，第３パルスが−２Ｖ０  ，第４パルスが＋２Ｖ０  ，第５パルスが＋Ｖ０  ，第６パルスが−Ｖ０  にそれぞれ設定されている。極性のみで言えば、第１，第４及び第５パルスが正極性，第２，第３及び第６パルスが負極性である。
【００３４】
また、非選択パルスは、第１パルスが−Ｖ０  ，第２パルスが＋Ｖ０  ，第３パルスが＋Ｖ０  ，第４パルスが−Ｖ０  ，第５パルスが＋Ｖ０  ，第６パルスが−Ｖ０  にそれぞれ設定されている。極性のみで言えば、第２，第３及び第５パルスが正極性，第１，第４及び第６パルスが負極性である。
【００３５】
情報信号線電極に印加されるＯＮ（白表示）パルスは、第１パルスが−２Ｖ０  ，第２パルスが＋２Ｖ０  ，第３パルスが＋２Ｖ０  ，第４パルスが−２Ｖ０  ，第５パルスが０，第６パルスが０にそれぞれ設定されている。極性のみで言えば、第２及び第３パルスが正極性，第１及び第４パルスが負極性，第５及び第６パルスは無極性である。
【００３６】
情報信号線電極に印加されるＯＦＦ（黒表示）パルスは、第１パルスが−２Ｖ０  ，第２パルスが＋２Ｖ０  ，第３パルスが０，第４パルスが０，第５パルスが＋２Ｖ０  ，第６パルスが−２Ｖ０  にそれぞれ設定されている。極性のみで言えば、第２及び第５パルスが正極性，第１及び第６パルスが負極性，第３及び第４パルスは無極性である。
【００３７】
前述の如く、各画素に印加される電圧の合成波形は、情報信号線電極を基準とし、走査線電極に印加される信号波形と情報信号線電極に印加される信号波形との差である。従って、走査線電極により選択されて白表示書き込みが行なわれる画素に印加される合成波形は、第１パルスが＋４Ｖ０  ，第２パルスが−４Ｖ０  ，第３パルスが−４Ｖ０  ，第４パルスが＋４Ｖ０  ，第５パルスが＋Ｖ０  ，第６パルスが−Ｖ０  になる。極性のみで言えば、第１，第４及び第５パルスが正極性，第２，第３及び第６パルスが負極性である。
【００３８】
即ち、この第１の実施の形態では、白表示書き込みにおいては、第５パルスが＋Ｖ０  （正極性）に、第６パルスが−Ｖ０  （負極性）にそれぞれなっている。
【００３９】
一方、走査線電極により選択されて黒表示書き込みが行なわれる画素に印加される合成波形は、第１パルスが＋４Ｖ０  ，第２パルスが−４Ｖ０  ，第３パルスが−２Ｖ０  ，第４パルスが＋２Ｖ０  ，第５パルスが−Ｖ０  ，第６パルスが＋Ｖ０  になる。極性のみで言えば、第１，第４及び第６パルスが正極性，第２，第３及び第５パルスが負極性である。
【００４０】
即ち、この第１の実施の形態では、黒表示書き込みにおいては、第５パルスが−Ｖ0 （負極性）に、第６パルスが＋Ｖ0 （正極性）にそれぞれなっている。
このような本発明の液晶表示素子の駆動方法の第１の実施の形態により前述の図１に示されている表示状態を実現する場合には、走査線電極，情報信号線電極，各画素への印加電圧の波形は図７の波形図に示されているようになる。即ち、第１及び第２パルスはリセット部であり、第３及び第４パルスは黒書き込み部であり、第５及び第６パルスは白書き込み部である。
【００４１】
なおここでは、走査線電極Ｃ１  が選択されている期間に情報信号線電極Ｓ１  ，Ｓ２  ，Ｓ３  ，Ｓ４  に黒，黒，白，白の順に表示パルスが印加されて走査線電極Ｃ１  と情報信号線電極Ｓ１  との交点の画素（Ｃ１  −Ｓ１  ）に黒表示の合成パルス（●にて示されている）が印加され、走査線電極Ｃ２  が選択されている期間に情報信号線電極Ｓ１  ，Ｓ２  ，Ｓ３  ，Ｓ４  に白，黒，白，黒の順に表示パルスが印加されて走査線電極Ｃ２  と情報信号線電極Ｓ３  との交点の画素（Ｃ２  −Ｓ３  ）に白表示の合成パルス（○にて示されている）が印加された状態が示されている。
【００４２】
〔第２の実施の形態〕
図９は本発明に係る液晶表示素子の駆動方法、即ち６パルス駆動法の第２の実施の形態を実現する各信号波形を示す波形図である。また、図１０は、図９に示されている本発明の液晶表示素子の駆動方法の第２の実施の形態により前述の図１に示されている表示状態を実現するために各電極に印加される実際の駆動波形を示す波形図、図１１は同じく各画素に印加される実際の駆動波形を示す波形図である。
【００４３】
この第２の実施の形態では具体的には、走査線電極に印加される選択パルス及非選択パルスと、情報信号線電極に印加されるＯＦＦ（黒表示）パルスとは前述の図６に示されている第１の実施の形態と同様であるので、その説明は省略し、第１の実施の形態とは異なる情報信号線電極に印加されるＯＮ（白表示）パルスの波形についてのみ説明する。
【００４４】
この第２の実施の形態において、情報信号線電極に印加されるＯＮ（白表示）パルスは、第１パルスが０，第２パルスが０，第３パルスが＋２Ｖ０  ，第４パルスが−２Ｖ０  ，第５パルスが０，第６パルスが０にそれぞれ設定されている。極性のみで言えば、第３パルスが正極性，第４パルスが負極性，第１，第２，第５及び第６パルスは無極性である。
【００４５】
この第２の実施の形態において、走査線電極により選択されて白表示書き込みが行なわれる画素に印加される合成波形は、第１パルスが＋２Ｖ０  ，第２パルスが−２Ｖ０  ，第３パルスが−４Ｖ０  ，第４パルスが＋４Ｖ０  ，第５パルスが＋Ｖ０  ，第６パルスが−Ｖ０  になる。極性のみで言えば、前述の第１の実施の形態と同様に、第１，第４及び第５パルスが正極性，第２，第３及び第６パルスが負極性である。
【００４６】
即ち、この第２の実施の形態では前述の第１の実施の形態と同様に、白表示書き込みにおいては、第５パルスが＋Ｖ０  （正極性）に、第６パルスが−Ｖ０  （負極性）にそれぞれなっている。
【００４７】
一方、走査線電極により選択されて黒表示書き込みが行なわれる画素に印加される合成波形は前述の第１の実施の形態と同様である。
【００４８】
このような本発明の液晶表示素子の駆動方法の第２の実施の形態により前述の図１に示されている表示状態を実現する場合には、走査線電極，情報信号線電極，各画素への印加電圧の波形は図１０の波形図に示されているようになる。
【００４９】
なおここでは、走査線電極Ｃ１  が選択されている期間に情報信号線電極Ｓ１  ，Ｓ２  ，Ｓ３  ，Ｓ４  に黒，黒，白，白の順に表示パルスが印加されて走査線電極Ｃ１  と情報信号線電極Ｓ１  との交点の画素（Ｃ１  −Ｓ１  ）に黒表示の合成パルス（●にて示されている）が印加され、走査線電極Ｃ２  が選択されている期間に情報信号線電極Ｓ１  ，Ｓ２  ，Ｓ３  ，Ｓ４  に白，黒，白，黒の順に表示パルスが印加されて走査線電極Ｃ２  と情報信号線電極Ｓ３  との交点の画素（Ｃ２  −Ｓ３  ）に白表示の合成パルス（○にて示されている）が印加された状態が示されている。
【００５０】
このような駆動方法により、従来の４パルス駆動法で実現することが困難であった高コントラストのディスプレイが可能になる。
【００５１】
〔第３の実施の形態〕
ところで、上述の第１及び第２の実施の形態では、選択期間中に６パルスが必要であり、各パルスの時間幅が同じであれば単純に考えれば従来の４パルス法に比して動作速度が５０％低下する。そこで、上述の第１，  第２の実施の形態を応用して６パルス法を疑似的に４パルス駆動法とする実施の形態について以下に説明する。
【００５２】
この疑似的な４パルス駆動法は、端的には、第ｎライン（走査線）を選択している期間中の第５パルスの印加タイミングにおいて同時に第ｎ＋１ラインの選択を開始してその第１パルスの印加を開始する。このような駆動法により、あたかも４パルス駆動法で駆動している場合と同じ動作時間で駆動することが可能になる。以下、具体的に説明する。
【００５３】
図１２及び図１３は本発明に係る液晶表示素子の駆動方法（以下、疑似４パルス駆動法と言う）、即ち６パルス駆動法を疑似的に４パルス駆動法とするための第３の実施の形態を実現する各信号波形を示す波形図である。また、図１４及び図１５は、図１２及び図１３に示されている本発明の液晶表示素子の駆動方法の第３の実施の形態により前述の図１に示されている表示状態を実現するために各電極に印加される実際の駆動波形を示す波形図、図１６は同じく各画素に印加される実際の駆動波形を示す波形図である。
【００５４】
この第３の実施の形態では具体的には、走査線電極に印加される選択パルスは、図１２及び図１３に示されているように、第１パルスが＋６Ｖ０  ，第２パルスが−６Ｖ０  ，第３パルスが−４Ｖ０  ，第４パルスが＋４Ｖ０  ，第５パルスが＋Ｖ０  ，第６パルスが−Ｖ０  にそれぞれ設定されている。極性のみで言えば、第１，第４及び第５パルスが正極性，第２，第３及び第６パルスが負極性である。
【００５５】
また、非選択パルスは、第１パルスが＋Ｖ０  ，第２パルスが−Ｖ０  ，第３パルスが−Ｖ０  ，第４パルスが＋Ｖ０  ，第５パルスが＋Ｖ０  ，第６パルスが−Ｖ０  にそれぞれ設定されている。極性のみで言えば、第１，第４及び第５パルスが正極性，第２，第３及び第６パルスが負極性である。
【００５６】
情報信号線電極に印加されるＯＮ（白表示）パルスは図１２に示されているように二種類が用意されており、第１のＯＮ（白表示）パルスは、第１乃至第６パルスの全てが０にそれぞれ設定されている。また、第２のＯＮ（白表示）パルスは、第１パルスが＋２Ｖ０  ，第２パルスが−２Ｖ０  ，第３乃至第６パルスが０にそれぞれ設定されている。極性のみで言えば、第１パルスが正極性，第２パルスが負極性，他のパルスは無極性である。
【００５７】
一方、情報信号線電極に印加されるＯＦＦ（黒表示）パルスも図１３に示されているように二種類が用意されており、第１のＯＦＦ（黒表示）パルスは、第１パルスが＋２Ｖ０  ，第２パルスが−２Ｖ０  ，第３パルスが−２Ｖ０  ，第４パルスが＋２Ｖ０  ，第５パルスが＋２Ｖ０  ，第６パルスが−２Ｖ０  にそれぞれ設定されている。極性のみで言えば、第１，第４及び第５パルスが正極性，第２，第３及び第６パルスが負極性である。また、第２のＯＦＦ（黒表示）パルスは、第１パルスが０，第２パルスが０，第３パルスが−２Ｖ０  ，第４パルスが＋２Ｖ０  ，第５パルスが＋２Ｖ０  ，第６パルスが−２Ｖ０  にそれぞれ設定されている。極性のみで言えば、第４及び第５パルスが正極性，第３及び第６パルスが負極性，他のパルスは無極性である。
【００５８】
この第３の実施の形態において、走査線電極により選択されて白表示書き込みが行なわれる画素に印加される合成波形は、図１２に示されているように、第１のＯＮ（白表示）パルスでは、第１パルスが＋６Ｖ０  ，第２パルスが−６Ｖ０  ，第３パルスが−４Ｖ０  ，第４パルスが＋４Ｖ０  ，第５パルスが＋Ｖ０  ，第６パルスが−Ｖ０  になる。極性のみで言えば、第１，第４及び第５パルスが正極性，第２，第３及び第６パルスが負極性である。また、第２のＯＮ（白表示）パルスでは、第１パルスが＋４Ｖ０  ，第２パルスが−４Ｖ０  ，第３パルスが−４Ｖ０  ，第４パルスが＋４Ｖ０  ，第５パルスが＋Ｖ０  ，第６パルスが−Ｖ０  になる。極性のみで言えば、第１，第４及び第５パルスが正極性，第２，第３及び第６パルスが負極性である。
【００５９】
即ち、この第３の実施の形態では、いずれのＯＮ（白表示）パルスにおいても、第５パルスが＋Ｖ０  （正極性）に、第６パルスが−Ｖ０  （負極性）にそれぞれなっている。
【００６０】
一方、走査線電極により選択されて黒表示書き込みが行なわれる画素に印加される合成波形は、図１３に示されているように、第１のＯＦＦ（黒表示）パルスでは、第１パルスが＋４Ｖ０  ，第２パルスが−４Ｖ０  ，第３パルスが−２Ｖ０  ，第４パルスが＋２Ｖ０  ，第５パルスが−Ｖ０  ，第６パルスが＋Ｖ０  になる。極性のみで言えば、第１，第４及び第６パルスが正極性，第２，第３及び第５パルスが負極性である。また、第２のＯＦＦ（黒表示）パルスでは、第１パルスが＋６Ｖ０  ，第２パルスが−６Ｖ０  ，第３パルスが−２Ｖ０  ，第４パルスが＋２Ｖ０  ，第５パルスが−Ｖ０  ，第６パルスが＋Ｖ０  になる。極性のみで言えば、第１，第４及び第６パルスが正極性，第２，第３及び第５パルスが負極性である。
【００６１】
即ち、この第３の実施の形態では、黒表示書き込みにおいては、第５パルスが−Ｖ０  （負極性）に、第６パルスが＋Ｖ０  （正極性）にそれぞれなっている。
【００６２】
このような本発明の液晶表示素子の駆動方法の第３の実施の形態により前述の図１に示されている表示状態を実現する場合には、走査線電極，情報信号線電極，各画素への印加電圧の波形は図１４，  図１５及び図１６の波形図に示されているように、第ｎライン  （走査線電極）  を選択している期間中の第５パルスの印加タイミングにおいて同時に第ｎ＋１ライン  （走査線電極）  の選択を開始してその第１パルスの印加が開始される。この際、黒表示から白表示に転換した時点では第２のＯＮ（白表示）パルスが、それ以降の連続する白表示には第１のＯＮ（白表示）パルスが使用され、白表示から黒表示に転換した時点では第２のＯＦＦ（黒表示）パルスが、それ以降の連続する黒表示には第１のＯＦＦ（黒表示）パルスが使用される。
【００６３】
なおここでは、走査線電極Ｃ1 が選択されている期間に情報信号線電極Ｓ1 ，Ｓ2 ，Ｓ3 ，Ｓ4 に黒，黒，白，白の順に表示パルスが印加されて走査線電極Ｃ1 と情報信号線電極Ｓ1 及びＳ3 との交点の画素（Ｃ1 −Ｓ1 ）及び（Ｃ1 −Ｓ3 ）に黒表示の合成パルス（●にて示されている）が印加され、走査線電極Ｃ2 が選択されている期間に情報信号線電極Ｓ1 ，Ｓ2 ，Ｓ3 ，Ｓ4 に白，黒，白，黒の順に表示パルスが印加されて走査線電極Ｃ2 と情報信号線電極Ｓ1 との交点の画素（Ｃ2 −Ｓ1 ）に白表示の合成パルス（○にて示されている）が印加された状態が示されている。
【００６４】
このような駆動方法により、従来の４パルス駆動法で実現することが困難であった高コントラストのディスプレイが、見掛け上は従来同様の４パルスで可能になる。
【００６５】
【発明の効果】
以上に詳述したように、本発明の液晶表示素子の駆動方法によれば、選択期間中は充分に白書き込み及び黒書き込みを行なうことが可能になり、更に非選択期間中及びメモリ状態において完全に白または黒書き込み状態が維持されるため、非常に高コントラストの表示が行なえる。そして、そのような駆動により、コントラストが常に高くなるため、反射型ディスプレイに適用した場合に視認性が非常によくなる。
【００６６】
また、第３の実施の形態によれば、従来同様の４パルスと見掛け上は同様の速度で動作する。
【図面の簡単な説明】
【図１】単純マトリクスの表示状態を示す模式図である。
【図２】従来技術による走査線電極及び情報信号線電極の波形図である。
【図３】従来技術による画素への印加電圧の波形図である。
【図４】従来技術による各画素への印加電圧と透過光量（電気−光学応答特性）との関係を示すグラフである。
【図５】図４中の  （Ｔ１  ，Ｔ２  ）  ＝  （黒，黒）  と  （白，白），  （黒，白）  と  （白，黒）の波形のコントラスト比を示すグラフである。
【図６】本発明の第１の実施の形態を実現する各信号波形を示す波形図である。
【図７】本発明の液晶表示素子の駆動方法の第１の実施の形態による各電極に印加される実際の駆動波形を示す波形図である。
【図８】本発明の液晶表示素子の駆動方法の第１の実施の形態による各画素に印加される実際の駆動波形を示す波形図である。
【図９】本発明の液晶表示素子の駆動方法の第２の実施の形態を実現する各信号波形を示す波形図である。
【図１０】本発明の液晶表示素子の駆動方法の第２の実施の形態による各電極に印加される実際の印加波形を示す波形図である。
【図１１】本発明の液晶表示素子の駆動方法の第２の実施の形態による各画素に印加される実際の印加波形を示す波形図である。
【図１２】本発明に係る液晶表示素子の駆動方法の第３の実施の形態を実現する各信号波形を示す波形図である。
【図１３】本発明に係る液晶表示素子の駆動方法の第３の実施の形態を実現する各信号波形を示す波形図である。
【図１４】本発明の液晶表示素子の駆動方法の第３の実施の形態による各電極に印加される実際の印加波形を示す波形図である。
【図１５】本発明の液晶表示素子の駆動方法の第３の実施の形態による各電極に印加される実際の印加波形を示す波形図である。
【図１６】本発明の液晶表示素子の駆動方法の第３の実施の形態による各画素に印加される実際の印加波形を示す波形図である。
【符号の説明】
Ｃ１  〜Ｃ４    走査線電極
Ｓ１  〜Ｓ４    情報信号線電極
【図１】
0003557488.tif 000002
【図２】
0003557488.tif 000003
【図３】
0003557488.tif 000004
【図４】
0003557488.tif 000005
【図５】
0003557488.tif 000006
【図６】
0003557488.tif 000007
【図７】
0003557488.tif 000008
【図８】
0003557488.tif 000009
【図９】
0003557488.tif 000010
【図１０】
0003557488.tif 000011
【図１１】
0003557488.tif 000012
【図１２】
0003557488.tif 000013
【図１３】
0003557488.tif 000014
【図１４】
0003557488.tif 000015
【図１５】
0003557488.tif 000016
【図１６】
0003557488.tif 000017